(57)【特許請求の範囲】
【請求項１】
可動金型（Ｄ２）とこれに対向する固定金型（Ｄ１）とを用いて、取付け孔（４）とその外周縁のリブ（３）とを備えた発泡樹脂成形品（１）を製造する方法であって、
前記可動金型（Ｄ２）は、前記固定金型（Ｄ１）との対向型面に、前記取付け孔（４）を形成するための突部（５０）を有し、
前記固定金型（Ｄ１）は、前記可動金型（Ｄ２）との対向型面に、前記取付け孔（４）の外周縁にリブ（３）を形成するための環状溝（５２）を有し、
前記発泡樹脂成形品（１）の製造工程は、
前記固定金型（Ｄ１）の型面に前記可動金型（Ｄ２）の突部（５０）の先端を当接させた状態で前記可動金型（Ｄ２）と前記固定金型（Ｄ１）とを型締めする工程と、
前記型締めの工程後に、前記固定金型（Ｄ１）と前記可動金型（Ｄ２）それぞれの対向型面で画成されるキャビティ（Ｃ）内に発泡樹脂材料を射出充填することにより、前記取付け孔（４）とその外周縁のリブ（３）とを備えた未発泡の半成形品（１０）を成形する工程と、
前記半成形品（１０）の成形後に、前記可動金型（Ｄ２）を所定ストローク長（Ｌ）後退操作することにより、その後退時に前記半成形品（１０）における前記リブ（３）が前記可動金型に追従することで該リブ（３）の先端部が前記環状溝（５２）から離れ、かつ、前記可動金型（Ｄ２）と前記固定金型（Ｄ１）との間に発泡スペースを形成し、その発泡スペース内で前記未発泡の半成形品（１０）を発泡させることにより、前記リブ（３）全体と該リブ（３）直下に位置する前記取付け孔（４）周囲とが未発泡の発砲樹脂材料からなる発泡樹脂成形品（１）を成形する工程と、を含み、
前記可動金型（Ｄ２）の後退操作から前記半成形品（１０）の発泡完了までの間において、前記リブ（３）が前記可動金型に追従する際に、前記半成形品（１０）における前記リブ（３）の先端部が前記固定金型（Ｄ１）の前記環状溝（５２）から完全に抜け出ないように前記可動金型（Ｄ２）の後退操作を調整することにより、その半成形品（１０）の発泡時に生じる前記取付け孔（４）の径方向形状変形を防止したこと
を特徴とする発泡樹脂成形品の製造方法。
【請求項２】
前記可動金型（Ｄ２）の対向型面と前記突部（５０）の外周面とには微細凹凸（５３Ａ、５４Ａ）が形成され、かつ、この微細凹凸（５３Ａ、５４Ａ）が前記半成形品（１０）の表面とその前記取付け孔（４）の内壁面とに転写されることにより、前記半成形品（１０）の表面とその前記取付け孔（４）の内壁面には転写微細凹凸（５３Ｂ、５４Ｂ）が形成されており、
前記突部（５０）外周面の微細凹凸（５４Ａ）と前記取付け孔（４）内壁面の転写微細凹凸（５４Ｂ）とが相互に噛み合っていることにより、前記可動金型（Ｄ２）の所定ストローク長（Ｌ）後退時に、前記未発泡の半成形品（１０）が前記可動金型（Ｄ２）に追従するようにしたこと、及び、前記半成形品（１０）表面の前記転写微細凹凸（５３Ｂ）と前記可動金型（Ｄ２）対向型面の前記微細凹凸（５３Ａ）とが相互に噛み合っていることにより、前記半成形品（１０）の発泡時に生じる前記取付け孔（４）の径方向形状変形が防止されるようにしたこと
を特徴とする請求項１に記載の発泡樹脂成形品の製造方法。
【発明の詳細な説明】
【技術分野】
【０００１】
本発明は、取付け孔を備えた発泡樹脂成形品の製造方法に関する
【背景技術】
【０００２】
車輌用内装部品としてラゲージサイドトリムが知られている。ラゲージサイドトリムは車輌のラゲージルームの側壁パネルの室内面に装着されるものであって、例えば、図４に示したように、発泡樹脂成形品として製造されたトリムアッパーＴ１と、これとは別に樹脂成形品として製造されたトリムロアＴ２とを接合した構造になっている。
【０００３】
先に説明したトリムアッパーＴ１のような発泡樹脂成形品は、従来、例えば特許文献１で開示している製造方法によって製造することができる。同文献１で開示している製造方法は、可動金型（２）とこれに対向する固定金型（１）とを用いて発泡樹脂成形品を製造する方法である（カッコ内の符号は特許文献１で用いている符号である。この背景技術の欄において以下も同様である）。かかる製造方法は、具体的には下記《充填工程》と《発泡工程》によって発泡樹脂成形品を製造するものである。
【０００４】
《充填工程》
充填工程では、可動金型（２）と固定金型（１）とを型締めし、両金型（１、２）それぞれの対向型面で画成されるキャビティ（３）内に発泡樹脂材料を射出充填することにより、未発泡の半成形品を成形する（同文献１の図１（ａ）（ｂ）を参照）。
【０００５】
《発泡工程》
発泡工程では、充填工程の完了後、可動金型（２）を所定ストローク長後退操作することにより、可動金型（２）と固定金型（１）との間に発泡スペースを形成し、かつ、形成した発泡スペース内で前記未発泡の半成形品を発泡させることにより、発泡樹脂成形品が得られる（同文献１の図１（ｃ）を参照）。
【０００６】
前記製造方法を利用して取付け孔を備えた発泡樹脂成形品を製造する場合には、例えば図５（ａ）に示したように、可動金型Ｄ２及び固定金型Ｄ１からなる金型において、可動金型Ｄ２の対向型面（固定金型Ｄ１と対向する面）に、取付け孔を形成するための突部５０を設けている。
【０００７】
そして、前記充填工程においては、前記突部５０の先端を固定金型Ｄ１に当接させた状態で可動金型Ｄ２と固定金型Ｄ１とを型締めし、両金型Ｄ１、Ｄ２それぞれの対向型面で画成されるキャビティＣ内に発泡樹脂材料を射出充填することにより、図５（ｂ）のように前記突部５０の胴径に相当する取付け孔４を備えた未発泡の半成形品１０を成形する。その後、前記発泡工程を経ることにより、図５（ｃ）のように取付け孔４を備えた発泡樹脂成形品１が得られる。なお、前記未発泡の半成形品１０は、その表裏面が金型（可動金型Ｄ２と固定金型Ｄ１）との接触で冷えて硬化したスキン層１２になっていて、このスキン層１２の内側が未発泡の発泡樹脂材料Ｍ（キャビティＣ内に射出充填されたもの）になっている。
【０００８】
しかしながら、先に説明した従来の金型（可動金型Ｄ２と固定金型Ｄ１）を用いて取付け孔４を備えた発泡樹脂成形品１を製造する方法によると、取付け孔４の直径が設計寸法よりも大径になったり、あるいは、取付け孔４の形成位置が設計位置よりずれてしまったり、図５（ｃ）のように取付け孔４の縁部に形状ダレが発生したりする等、取付け孔４の寸法、形状、形成位置の精度が悪いという問題がある。その主な原因は、図５（ｃ）の発泡工程における半成形品１０の発泡中に、突部５０から離れる方向の力（図５（ｃ）矢印Ａで示す方向の力）が突部５０周囲で発泡中の発泡樹脂材料に働くことで、取付け孔４の径方向形状変形が生じるためである。
【０００９】
ところで、前記のように製造された発泡樹脂成形品１（取付け孔４を備えたもの）をこれとは別に製造された樹脂成形品に取付け接合する場合には、図６（ａ）又は（ｂ）に示したように、樹脂成形品２の裏面側に立設してあるボス５を発泡樹脂成形品１の取付け孔４（図５（ｂ）参照）に挿入した後、そのボス５の締結操作として、例えば当該ボス５の先端に対し熱溶融によるカシメ加工を施す方法が考えられる。しかしながら、前述の通り取付け孔４の寸法、形状、形成位置の精度が悪いため、図６（ａ）と（ｂ）との比較からも分かるように、発泡樹脂成形品１と樹脂成形品２との締結位置にずれが発生し、締結位置が安定せず、発泡樹脂成形品１と樹脂成形品２の組付け精度が悪くなるという問題がある。
【先行技術文献】
【特許文献】
【００１０】
【特許文献１】特開２００２−１２０２５２号公報
【発明の概要】
【発明が解決しようとする課題】
【００１１】
本発明は前記問題点を解決するためになされたものであり、その目的は寸法、形状、形成位置の精度が良い取付け孔を備えた発泡樹脂成形品の製造方法を提供することにある。
【課題を解決するための手段】
【００１２】
前記目的を達成するために、本発明に係る発泡樹脂成形品の製造方法は、可動金型とこれに対向する固定金型とを用いて、取付け孔とその外周縁のリブとを備えた発泡樹脂成形品を製造する方法であって、前記可動金型は、前記固定金型との対向型面に、前記取付け孔を形成するための突部を有し、前記固定金型は、前記可動金型との対向型面に、前記取付け孔の外周縁にリブを形成するための環状溝を有し、前記発泡樹脂成形品の製造工程は、前記固定金型の型面に前記可動金型の突部の先端を当接させた状態で前記可動金型と前記固定金型とを型締めする工程と、前記型締めの工程後に、前記固定金型と前記可動金型それぞれの対向型面で画成されるキャビティ内に発泡樹脂材料を射出充填することにより、前記取付け孔とその外周縁のリブとを備えた未発泡の半成形品を成形する工程と、前記半成形品の成形後に、前記可動金型を所定ストローク長後退操作することにより、その後退時に前記半成形品における前記リブが前記可動金型に追従することで該リブの先端部が前記環状溝から離れ、かつ、前記可動金型と前記固定金型との間に発泡スペースを形成し、その発泡スペース内で前記未発泡の半成形品を発泡させることにより、前記リブ全体と該リブ直下に位置する前記取付け孔周囲とが未発泡の発砲樹脂材料からなる発泡樹脂成形品を成形する工程と、を含み、前記可動金型の後退操作から前記半成形品の発泡完了までの間において、前記リブが前記可動金型に追従する際に、前記半成形品における前記リブの先端部が前記固定金型の前記環状溝から完全に抜け出ないように前記可動金型の後退操作を調整することにより、その半成形品の発泡時に生じる前記取付け孔の径方向形状変形を防止したことを特徴とする。
【００１３】
前記本発明に係る発泡樹脂成形品の製造方法において、前記可動金型の対向型面と前記突部の外周面とには微細凹凸が形成され、かつ、この微細凹凸が前記半成形品の表面とその前記取付け孔の内壁面とに転写されることにより、前記半成形品の表面とその前記取付け孔の内壁面には転写微細凹凸が形成されており、前記突部外周面の微細凹凸と前記取付け孔内壁面の転写微細凹凸とが相互に噛み合っていることにより、前記可動金型の所定ストローク長後退時に、前記未発泡の半成形品が前記可動金型に追従するようにしたり、また、前記半成形品表面の前記転写微細凹凸と前記可動金型対向型面の前記微細凹凸とが相互に噛み合っていることにより、前記半成形品の発泡時に生じる前記取付け孔の径方向形状変形が防止されるようにしてもよい。
【発明の効果】
【００１６】
本発明に係る発泡樹脂成形品の製造方法にあっては、可動金型の所定ストローク長後退操作から半成形品の発泡完了までの間、半成形品の段階で形成されたリブの先端部が固定金型の環状溝から完全に抜け出ないことにより、半成形品の発泡時に生じる取付け孔の径方向形状変形を防止したため、寸法、形状、形成位置の精度が良い取付け孔を備えた発泡樹脂成形品を得ることができる。
【００１７】
本発明に係る発泡樹脂成形品の製造方法を採用して製造した発泡樹脂成形品は、その製造過程において、可動金型の所定ストローク長後退操作から半成形品の発泡完了までの間は、前述の通り、取付け孔の径方向形状変形が防止されることから、製造された発泡樹脂成形品の取付け孔の寸法、形状、形成位置の精度は良い。従って、発泡樹脂成形品とこれとは別に製造された樹脂成形品とを接合する手段として、樹脂成形品の裏面に立設してあるボスを発泡樹脂成形品の取付け孔に挿入した後、リブ付近でボスの締結操作を行ったときに、発泡樹脂成形品と樹脂成形品との締結位置が安定し、発泡樹脂成形品と樹脂成形品の組付け精度が良くなるという作用効果が得られる。
【図面の簡単な説明】
【００１９】
【図１】図１（ａ）は、発泡樹脂成形品の接合構造（ボスの締結操作を行う前の状態）の断面図、図１（ｂ）及び（ｃ）はそれぞれ、図１（ａ）の接合構造においてボスの締結操作を行った後の断面図である。
【図２】図２は、本発明に係る発泡樹脂成形品の製造方法において使用する金型の構成概要図である。
【図３】図３は、本発明に係る発泡樹脂成形品の製造方法の工程概要図であり、特に同図（ａ）は充填工程（キャビティ内に発泡樹脂材料を射出充填することによって未発泡の半成形品を成形した状態）、同図（ｂ）は発泡工程（可動金型を所定ストローク長後退操作することによって確保した発泡スペース内で未発泡の半成形品が発泡した状態）、同図（ｃ）は発泡完了後の状態をそれぞれ示したものである。
【図４】図４は、車輌用内装部品であるラゲージサイドトリムの正面図である。
【図５】図５（ａ）は、取付け孔を備えた発泡樹脂成形品を製造する場合に使用する従来の金型（可動金型と固定金型）の断面図、同図（ｂ）は、同図（ａ）の従来の金型を使用して成形された未発泡の半成形品の断面図、同図（ｃ）は、従来の金型を使用して成形された発泡樹脂成形品（同図（ａ）の可動金型を所定ストローク長後退操作することによって確保した発泡スペース内で同図（ｂ）の未発泡の半成形品が発泡したもの）の断面図である。
【図６】図６（ａ）（ｂ）は、図５（ａ）の従来の金型で製造した発泡樹脂成形品（取付け孔を備えたもの）をこれとは別に製造された樹脂成形品に取付け接合するときの接合位置ずれの説明図である。
【発明を実施するための形態】
【００２０】
以下、本発明を実施するための最良の形態について、添付した図面を参照しながら詳細に説明する。
【００２１】
図１（ａ）は、発泡樹脂成形品の接合構造（ボスの締結操作を行う前の状態）の断面図、同図（ｂ）及び（ｃ）はそれぞれ、図１（ａ）の接合構造においてボスの締結操作を行った後の断面図である。
【００２２】
図１（ａ）の接合構造は、取付け孔４を備えた発泡樹脂成形品１を、これとは別に製造された樹脂成形品２に取付け接合する構造であり、その取付け孔４の外周縁にはリブ３が設けられている。このリブ３は、発泡樹脂成形品１の成形に用いられる後述の固定金型Ｄ１と可動金型Ｄ２（図２参照）のうち、固定金型Ｄ１によって成形された発泡樹脂成形品１の成形面１Ａ側に設けられている。
【００２３】
そして、発泡樹脂成形品１と樹脂成形品２との接合は、図１（ａ）のように樹脂成形品２の裏面に立設してあるボス５を発泡樹脂成形品１の取付け孔４に挿入後、図１（ｂ）若しくは図１（ｃ）のように取付け孔４外周縁のリブ３付近でボス５の締結操作を行うものである。
【００２４】
図１（ｂ）は、ボス５全体を熱溶融可能な樹脂で形成し、かつ、ボス５の先端のみに対して熱溶融によるカシメ加工を施した例を示している。図１（ｃ）は、同様にボス５全体を熱溶融可能な樹脂で形成し、かつ、ボス５の先端とリブ３の先端に対して熱溶融によるカシメ加工を施した例を示しているが、これらの例に限定されることはない。ボス５の締結操作の他の例としては、例えば、ボス５の先端外周面にネジ溝を形成し、そのネジ溝にナットを嵌合させる方式を採用してもよい。
【００２５】
図１（ｃ）の例では、リブ３の先端も一緒に熱溶融させることによりカシメ加工による熱溶融部の容積が大となるから、図１（ｂ）の例に比べて、発泡樹脂成形品１と樹脂成形品２とをしっかり固定することができる。
【００２６】
前記発泡樹脂成形品１において、リブ３以外の部分は、発泡層１１と未発泡のスキン層１２との二層構造からなり、スキン層１２が発泡層１１全体を覆う形態になっている。発泡層１１は、発泡樹脂成形品１の製造過程で発泡樹脂材料が発泡したものである。スキン層１２は、発泡樹脂成形品１の製造過程で前記発泡性樹脂材料が金型（固定金型Ｄ１、可動金型Ｄ２）との接触で冷やされて発泡前に硬化したものである。発泡樹脂成形品１のリブ３は、それ全体が未発泡の発泡樹脂材料で成形された形態になっている。
【００２７】
図１（ａ）から（ｃ）において図示は省略しているが、前記発泡樹脂成形品１の表裏両面のうち後述の固定金型Ｄ１によって成形された成形面１Ａと、取付け孔４の内壁面とには、微細凹凸（図３（ａ）の転写微細凹凸５３Ｂ、５４Ｂに相当するもの）が設けられている。
【００２８】
図２は、本発明に係る発泡樹脂成形品の製造方法において使用する金型の構成概要図であり、図３は、本発明に係る発泡樹脂成形品の製造方法の工程概要図である。先に説明した図１（ａ）の発泡樹脂成形品１は、図２の金型（固定金型Ｄ１、可動金型Ｄ２）と図３の製造方法を用いて製造したものである。
【００２９】
《図２の金型の構成説明》
図２の金型Ｄは、固定金型Ｄ１、可動金型Ｄ２、および射出機（図示省略）から大略構成されている。
【００３０】
固定金型Ｄ１は、前記射出機から供給される発泡樹脂材料の樹脂通路となるホットランナ、バルブゲートを通じて、型面に発泡樹脂材料が供給されるように構成してある。またこの固定金型Ｄ１には完成品の発泡樹脂成形品１（図１（ａ）参照）を突出すためのエジェクタピン（図示省略）が内装されている。
【００３１】
可動金型Ｄ２は、図示しないプレスラムの動作により、図２のような型開き位置、図３（ｂ）のような型締め位置、図３（ｃ）のような発泡成形位置の３つのポジションをとるように駆動される。
【００３２】
また、前記可動金型Ｄ２は、固定金型Ｄ１との対向型面（固定金型Ｄ１と対向している型面）に、発泡樹脂成形品１の取付け孔４（図１（ａ）参照）を形成するための円筒状の突部５０を有している。
【００３３】
一方、前記固定金型Ｄ１は、可動金型Ｄ２との対向型面（可動金型Ｄ２と対向している型面）に、前記突部５０の先端を収容するための凹部５１と、前記発泡樹脂成形品１の取付け孔４の外周縁にリブ３（図１（ａ）参照）を形成するための環状溝５２と、を備えている。この環状溝５２は凹部５１を囲む形状になっている。なお、前記凹部５１は省略することもできる。
【００３４】
さらに、前記固定金型Ｄ１の対向型面と前記突部５０の外周面とには、それぞれシボ加工による微細凹凸５３Ａ、５４Ａが形成されている。
【００３５】
《図２の金型を用いた発泡樹脂成形品の製造方法の説明》
図２の金型を用いた発泡樹脂成形品の製造方法は、図３（ａ）の充填工程と、その次工程である図３（ｂ）の発泡工程とに大別される。
【００３６】
図３（ａ）の充填工程においては、同図（ａ）のように、可動金型Ｄ２の突部５０の先端を固定金型Ｄ１の型面に当接させた状態、具体的には、固定金型Ｄ１の凹部５１（図２参照）に可動金型Ｄ２の突部５０の先端を収容した状態で可動金型Ｄ２と固定金型Ｄ１とを型締めし、両金型Ｄ１、Ｄ２それぞれの対向型面で画成されるキャビティＣ内に発泡樹脂材料を射出充填Ｍすることにより、取付け孔４とその外周縁のリブ３とを備えた未発泡の半成形品１０を成形する。
【００３７】
このとき、半成形品１０の表裏面は、固定金型Ｄ１や可動金型Ｄ２との接触で冷えて硬化することにより、未発泡のスキン層１２になる。リブ３の表面付近も、同様に未発泡のスキン層１２になる。スキン層１２の内側は、未発泡の発泡樹脂材料Ｍ（キャビティＣ内に射出充填されたもの）である。
【００３８】
なお、前記凹部５１は前述の通り省略することもでき、省略した場合、前記固定金型Ｄ１と可動金型Ｄ２との型締めは、可動金型Ｄ２の突部５０の先端を固定金型Ｄ１の型面に当接させた状態で行われる。また、この型締は、図示しないプレスラムにより、可動金型Ｄ２を図２の位置から図３（ａ）の型締め位置まで移動させることにより行われる。キャビティＣ内への発泡樹脂材料の射出充填は、図示しないホットランナ、バルブゲートを通じて行われる。
【００３９】
また、図３（ａ）の充填工程では、固定金型Ｄ１の対向型面と突部５０の外周面とに形成してある微細凹凸５３Ａ、５４Ａ（図２参照）が前記半成形品１０の表面とその取付け孔４の内壁面とに転写されることにより、半成形品１０の表面とその取付け孔４の内壁面には、図３（ａ）のような転写微細凹凸５３Ｂ、５４Ｂが形成される。
【００４０】
図３（ｂ）の発泡工程では、同図（ｂ）のように可動金型Ｄ２を所定ストローク長Ｌ後退操作することにより、可動金型Ｄ２と固定金型Ｄ１との間に発泡スペースを形成し、かつ、形成した発泡スペース内で前記未発泡の半成形品１０を発泡させることにより、取付け孔４とその外周縁のリブ３とを備えた発泡樹脂成形品１が得られる。
【００４１】
ところで、この図３（ｂ）の発泡工程でも、半成形品１０の発泡中に、突部５０から離れる方向の力（図５（ｃ）参照）が突部５０周囲で発泡中の発泡樹脂材料に働くことにより、取付け孔４の径方向形状変形が生じようとする。
【００４２】
しかしながら、同図（ｂ）の発泡工程では、可動金型Ｄ２の所定ストローク長Ｌ後退操作から半成形品１０の発泡完了までの間、半成形品１０の段階で形成された前記リブ３の先端部が固定金型Ｄ１の環状溝５２から完全に抜け出ないことにより、当該リブ３が形状変形の抑制ストッパとして機能することから、発泡時に生じる前記取付け孔４の径方向形状変形は防止される。
【００４３】
また、可動金型Ｄ２の所定ストローク長Ｌ後退操作時、及び未発泡の半成形品１０の発泡時に、突部５０外周面の微細凹凸５４Ａ（図２参照）と取付け孔４内壁面の転写微細凹凸（図３（ａ）参照）とは、相互に噛み合っている。これにより、未発泡の半成形品１０は、図３（ｂ）のように可動金型Ｄ２に密着し、可動金型Ｄ２の後退に追従するようになるので、取付け孔４縁部の形状が安定し、取付け孔４縁部のいわゆる形状ダレは抑制される。
【００４４】
前記のような可動金型Ｄ２に対する半成形品１０の密着性を高めるため、前記のような相互噛み合部（突部５０外周面の微細凹凸５４Ａと取付け孔４内壁面の転写微細凹凸とが相互にかみ合っている部分）は、図３（ａ）に示す取付け孔４の深さＮの１／３以上に設定することが好ましい。
【００４５】
さらに、可動金型Ｄ２の所定ストローク長Ｌ後退操作時、及び未発泡の半成形品１０の発泡時に、可動金型Ｄ１対向型面の微細凹凸５３Ａ（図２参照）と半成形品１０表面の転写微細凹凸５３Ｂ（図３（ａ）参照）とは、相互に噛み合っている。このような噛み合い部も、先に説明したリブ３と同様に、形状変形を抑制するストッパとして機能することから、半成形品１０の発泡時に生じる前記取付け孔４の径方向形状変形はより一層効果的に防止される。
【００４６】
図３（ａ）の半成形品１０表面のスキン層１２は、同図（ｂ）の発泡工程で成長し、成形完了時には図３（ｃ）のように多少厚くなる。また、図３（ａ）の半成形品１０のリブ３のスキン層１２もまた、同図（ｂ）の発泡工程で成長し、成形完了時には図３（ｃ）のようにその表面のスキン層１２がリブ３全体に亘って成長することで、当該リブ３全体が未発泡の発泡樹脂材料で成形された形態になる。
【００４７】
以上説明したように、本実施形態の発泡樹脂成形品の製造方法によると、可動金型Ｄ２の所定ストローク長Ｌ後退操作から半成形品１０の発泡完了までの間、半成形品１０の段階で形成されたリブ３の先端部が固定金型Ｄ１の環状溝５２から完全に抜け出ないことにより、半成形品１０の発泡時に生じる取付け孔４の径方向形状変形が防止されるから、寸法、形状、形成位置の精度が良い取付け孔４を備えた発泡樹脂成形品１を得ることができる。
【００４８】
また、以上の製造方法によって得られた図１の発泡樹脂成形品１はその取付け孔４の寸法、形状、形成位置の精度が良いことから、図１のような接合構造、すなわち、そのような取付け孔４を備えた発泡樹脂成形品１を、これとは別に製造された樹脂成形品２に取付け接合する構造によると、樹脂成形品２の裏面に立設してあるボス５を前記発泡樹脂成形品１の取付け孔４に挿入した後、リブ３付近でボス５の締結操作を行ったときに、発泡樹脂成形品１と樹脂成形品２との締結位置が安定し、発泡樹脂成形品１と樹脂成形品２の組付け精度が向上する。
【００４９】
以上説明した発泡樹脂成形品の製造方法や、その発泡樹脂成形品の接合構造は、例えば図４に示すラゲージサイドトリムのトリムアッパーＴ１を製造する方法や、トリムアッパーＴ１をトリムロアＴ２に接合する構造として採用することができるが、これらに限定されることはない。
【００５０】
また、本発明は、以上説明した実施形態に限定されるものではなく、本発明の技術的思想内で当分野において通常の知識を有する者により多くの変形が可能である。
【符号の説明】
【００５１】
１  発泡樹脂成形品
１０  未発泡の半成形品
１Ａ  固定金型によって成形された発泡樹脂成形品の成形面
２  樹脂成形品
３  リブ
４  取付け孔
５  ボス
５０  突部
５１  凹部
５２  環状溝
５３Ａ、５４Ａ  微細凹凸
５３Ｂ、５４Ｂ  転写微細凹凸
Ｄ１  固定金型
Ｄ２  可動金型
Ｔ１  トリムアッパー
Ｔ２  トリムロア
【図１】
0005688846.tif 000002
【図２】
0005688846.tif 000003
【図３】
0005688846.tif 000004
【図４】
0005688846.tif 000005
【図５】
0005688846.tif 000006
【図６】
0005688846.tif 000007